(57)【要約】      （修正有）【課題】バッテリの劣化を適確に判定できる判定方法と、それを利用する照明器具を提供する。【解決手段】太陽電池Ｐと、昼間は太陽電池Ｐによって充電するバッテリＢと、夜間にバッテリＢから照明用のランプ負荷Ｌに給電する照明器具であって、バッテリＢの端子電圧に基づいてバッテリの過充電状態、過放電状態をそれぞれ検出する過充電判定部１１、過放電判定部１２を備え、バッテリＢの端子電圧Ｖbに基づき、１日の間にバッテリＢの過充電状態、過放電状態の双方を検出することによりバッテリＢの劣化を判定する劣化判定部１３を備える。【選択図】図１
2015070664.tif 000002
【特許請求の範囲】
【請求項１】
昼間に太陽電池によって充電し、夜間に照明用のランプ負荷に給電する独立電源形の照明器具に組み込むバッテリの劣化判定方法であって、バッテリの端子電圧に基づき、１日の間にバッテリの過充電状態、過放電状態の双方を検出することによりバッテリの劣化を判定することを特徴とするバッテリの劣化判定方法。
【請求項２】
太陽電池と、昼間に前記太陽電池によって充電するバッテリと、夜間に前記バッテリから給電する照明用のランプ負荷と、前記バッテリの端子電圧に基づいて前記バッテリの過充電状態、過放電状態をそれぞれ検出する過充電判定部、過放電判定部と、前記過充電判定部、過放電判定部により１日の間に前記バッテリが過充電状態、過放電状態の双方に到達したことを検出すると前記バッテリが劣化したと判定する劣化判定部とを備えてなる照明器具。
【請求項３】
前記太陽電池は、前記過充電判定部により前記バッテリが過充電状態になったことを検出すると前記バッテリから切り離すことを特徴とする請求項２記載の照明器具。
【請求項４】
前記ランプ負荷は、前記過放電判定部により前記バッテリが過放電状態になったことを検出すると前記バッテリから切り離すことを特徴とする請求項２または請求項３記載の照明器具。
【請求項５】
前記太陽電池の出力電圧に基づいて昼間、夜間を判定する昼夜判定部を付設し、前記ランプ負荷は、前記昼夜判定部により昼間であることを検出すると前記バッテリから切り離すことを特徴とする請求項２ないし請求項４のいずれか記載の照明器具。
【請求項６】
前記劣化判定部の出力側には、外部と無線通信可能な無線部を付設することを特徴とする請求項２ないし請求項５のいずれか記載の照明器具。
【発明の詳細な説明】
【技術分野】
【０００１】
この発明は、昼間に太陽電池によって充電し、夜間にランプ負荷に給電する独立電源形の照明器具に組み込むバッテリの劣化判定方法と、それを利用する照明器具に関する。
【背景技術】
【０００２】
太陽電池を利用してバッテリを充電し、夜間の照明に利用する太陽電池付きの独立電源形の照明器具が広く普及しつつある。
【０００３】
太陽電池付きの照明器具に組み込むバッテリとしては、低価格で自己放電が少ない鉛蓄電池が普通である。なお、鉛蓄電池は、充放電を繰り返すことにより劣化して容量が減少するが、充放電による劣化を少なくするには、過充電、過放電を防止するとともに、満充電後の放電深度が浅くなり過ぎないようにすることが肝要であるといわれている。そこで、このような充放電制御を実現するために、専用の充放電制御装置を組み込んだ照明器具も提案されている（特許文献１）。
【先行技術文献】
【特許文献】
【０００４】
【特許文献１】特開２００９−２８３１３９号公報
【発明の概要】
【発明が解決しようとする課題】
【０００５】
かかる従来技術によるときは、バッテリの寿命を長くするために適切な充放電制御を実現することができるものの、バッテリの劣化を判定し、それを検出することができる訳ではなく、バッテリが劣化した照明器具が動作不良のまま長期に亘って放置されることも十分あり得るという問題があった。バッテリの劣化は、夜間、照明器具の点灯時間が短いことでしか外見上発見できず、昼間の巡回点検で発見することが必ずしも容易でないからである。
【０００６】
そこで、この発明の目的は、かかる従来技術の問題に鑑み、バッテリの端子電圧を監視することによって、バッテリの劣化を適確に判定することができるバッテリの劣化判定方法と、それを利用する照明器具を提供することにある。
【課題を解決するための手段】
【０００７】
かかる目的を達成するためのこの出願に係る第１発明（請求項１に係る発明をいう、以下同じ）の構成は、昼間に太陽電池によって充電し、夜間に照明用のランプ負荷に給電する独立電源形の照明器具に組み込むバッテリの劣化判定方法であって、バッテリの端子電圧に基づき、１日の間にバッテリの過充電状態、過放電状態の双方を検出することによりバッテリの劣化を判定することをその要旨とする。
【０００８】
第２発明（請求項２に係る発明をいう、以下同じ）の構成は、太陽電池と、昼間に太陽電池によって充電するバッテリと、夜間にバッテリから給電する照明用のランプ負荷と、バッテリの端子電圧に基づいてバッテリの過充電状態、過放電状態をそれぞれ検出する過充電判定部、過放電判定部と、過充電判定部、過放電判定部により１日の間にバッテリが過充電状態、過放電状態の双方に到達したことを検出するとバッテリが劣化したと判定する劣化判定部とを備えることをその要旨とする。
【０００９】
なお、太陽電池は、過充電判定部によりバッテリが過充電状態になったことを検出するとバッテリから切り離すことができ、ランプ負荷は、過放電判定部によりバッテリが過放電状態になったことを検出するとバッテリから切り離すことができる。
【００１０】
また、太陽電池の出力電圧に基づいて昼間、夜間を判定する昼夜判定部を付設し、ランプ負荷は、昼夜判定部により昼間であることを検出するとバッテリから切り離してもよい。
【００１１】
さらに、劣化判定部の出力側には、外部と無線通信可能な無線部を付設することができる。
【発明の効果】
【００１２】
かかる第１発明の構成によるときは、太陽電池付きの独立電源形の照明器具に組み込むバッテリの容量Ｃ〔Ａｈ〕は、一般に、太陽電池による１日当りの充電量ａ〔Ａｈ〕、ランプ負荷による１日当りの放電量ｂ〔Ａｈ〕に対し、Ｃ＝ａｎ＝ｂｍに設定されている。ただし、ｎ、ｍは、それぞれ太陽電池によりバッテリを０％から１００％まで充電するに要する日数、ランプ負荷によりバッテリを１００％から０％まで放電させるに要する日数であり、ｎ＞１、ｍ＞１である。そこで、この場合のバッテリは、１日のうちに０％から１００％まで充電されたり、１日のうちに１００％から０％に放電したりすることがなく、１日の間に過充電状態、過放電状態の双方を経験することがない。
【００１３】
一方、バッテリが劣化して容量Ｃが容量Ｃx ＜Ｃに低下し、Ｃx ＜ａとなれば、１日のうちに０％から１００％まで充電可能となり、Ｃx ＜ｂとなれば、１日のうちに１００％から０％まで放電可能となる。すなわち、バッテリは、Ｃx ＜ａ、Ｃx ＜ｂの双方が成立すると、１日の間に過充電状態、過放電状態の双方を経験する可能性があり、これを検出することにより確実に劣化を判定することができる。たとえば、Ｃ＝６５〔Ａｈ〕、ａ＝２４〔Ａｈ〕、ｂ＝１３〔Ａｈ〕、ｎ＝２．７〔日〕、ｍ＝５〔日〕とすると、Ｃx ＝１２．９〔Ａｈ〕≒Ｃ／５に劣化すれば、Ｃx ＜ａ、Ｃx ＜ｂとなってバッテリの劣化を判定することができる。なお、バッテリの過充電状態、過放電状態は、バッテリの端子電圧を監視し、端子電圧に基づいて判断することができる。また、ここでいうバッテリは、鉛蓄電池の他、ニッケルカドミウム電池などのアルカリ電池であってもよい。
【００１４】
第２発明の構成によるときは、過充電判定部、過放電判定部は、それぞれバッテリの端子電圧に基づいてバッテリの過充電状態、過放電状態を検出することができ、劣化判定部は、過充電判定部、過放電判定部により、１日の間にバッテリが過充電状態、過放電状態の双方に到達したことを検出してバッテリの劣化を判定することができる。すなわち、第２発明は、過充電判定部、過放電判定部、劣化判定部を介して第１発明を実施し、第１発明の効果を奏することができる。
【００１５】
太陽電池は、バッテリが過充電状態になったときにバッテリから切り離し、バッテリが極端な過充電状態になることを回避することができる。なお、太陽電池は、バッテリの端子電圧が低下して過充電状態から復帰したと判定されると、再度バッテリに接続すればよい。また、ランプ負荷は、バッテリが過放電状態になったときにバッテリから切り離し、バッテリが極端な過放電状態になることを回避することができる。なお、ランプ負荷は、端子電圧が上昇して過放電状態から復帰したときは、昼間でない限り、再度バッテリに接続すればよい。
【００１６】
昼夜判定部は、太陽電池の出力電圧により昼間、夜間を判定することができる。そこで、ランプ負荷は、昼夜判定部により昼間であることが検出されると、バッテリから切り離して消灯させることができる。
【００１７】
劣化判定部の出力側に付設する無線部は、送信モードに設定すると、劣化判定部からのバッテリが劣化した旨の情報を外部に無線で発信することができ、受信モードに設定すると、このようにして外部の無線部から発信される情報を受信し、その内容をたとえば併設の表示器上に表示することができる。そこで、送信モードの無線部を有する複数の照明器具は、受信モードの無線部を有する照明器具とともに、前者を子機、後者を親機としてグループ化し、親機においてグループ内の各照明器具のバッテリの集中管理を実現することができる。
【図面の簡単な説明】
【００１８】
【図１】全体構成ブロック系統図
【図２】要部ブロック系統図（１）
【図３】要部ブロック系統図（２）
【図４】動作説明線図（１）
【図５】動作説明線図（２）
【図６】メッセージ説明図
【図７】他の実施の形態を示す要部ブロック系統図（１）
【図８】他の実施の形態を示す要部ブロック系統図（２）
【発明を実施するための形態】
【００１９】
以下、図面を以って発明の実施の形態を説明する。
【００２０】
照明器具は、太陽電池Ｐ、バッテリＢ、照明用のランプ負荷Ｌと、制御部１０とを主要部材としてなる（図１）。
【００２１】
太陽電池Ｐの出力は、逆流防止用のダイオードＤ、開閉器ＳＷ1 を介してバッテリＢに接続されている。また、バッテリＢの出力は、開閉器ＳＷ2 を介してランプ負荷Ｌに接続されている。
【００２２】
制御部１０は、過充電判定部１１、過放電判定部１２、劣化判定部１３、昼夜判定部１４を備えている。なお、バッテリＢの端子電圧Ｖb は、過充電判定部１１、過放電判定部１２に分岐入力され、過充電判定部１１からの過充電検出信号Ｓc1、過放電判定部１２からの過放電検出信号Ｓc2は、劣化判定部１３に個別に導入されている。劣化判定部１３の出力は、判定信号Ｓ3 として表示器ＤＰに入力されており、表示器ＤＰは、バッテリＢにより給電されている。また、過充電判定部１１の別の出力は、制御信号Ｓ1 として開閉器ＳＷ1 に導かれている。
【００２３】
太陽電池Ｐの出力電圧Ｖp は、昼夜判定部１４に入力されている。昼夜判定部１４からの反転昼間信号Ｓa は、アンドゲート１５を介し、制御信号Ｓ2 として開閉器ＳＷ2 に導かれている。ただし、アンドゲート１５には、過放電判定部１２からの反転過放電信号Ｓb が併せて入力されている。
【００２４】
過充電判定部１１は、比較器１１ａ、１１ｂ、フリップフロップ１１ｃを組み合わせて構成されている（図２）。また、過放電判定部１２は、比較器１２ａ、１２ｂ、フリップフロップ１２ｃを組み合わせて構成され、昼夜判定部１４は、比較器１４ａ、１４ｂ、フリップフロップ１４ｃ、インバータ１４ｄを組み合わせて構成されている。
【００２５】
バッテリＢの端子電圧Ｖb は、過充電判定部１１の比較器１１ａ、１１ｂの各一方の端子に分岐入力されている。比較器１１ａ、１１ｂの各他方の端子には、過充電検出電圧Ｖb1、過充電復帰電圧Ｖb2＜Ｖb1が入力されている。比較器１１ａの出力は、フリップフロップ１１ｃのセット端子Ｓに接続するとともに、過充電検出信号Ｓc1として外部に引き出されており、比較器１１ｂの出力は、フリップフロップ１１ｃのリセット端子Ｒに接続されている。また、フリップフロップ１１ｃの出力端子Ｑは、制御信号Ｓ1 として外部に引き出されている。
【００２６】
バッテリＢの端子電圧Ｖb は、過放電判定部１２の比較器１２ａ、１２ｂの各一方の端子にも併せて分岐入力されている。比較器１２ａ、１２ｂの各他方の端子には、過放電検出電圧Ｖb3、過放電復帰電圧Ｖb4＞Ｖb3が入力されている。比較器１２ａの出力は、フリップフロップ１２ｃのリセット端子Ｒに接続するとともに、過放電検出信号Ｓc2として外部に引き出されており、比較器１２ｂの出力は、フリップフロップ１２ｃのセット端子Ｓに接続されている。また、フリップフロップ１２ｃの出力端子Ｑは、反転過放電信号Ｓb としてアンドゲート１５に導かれている。
【００２７】
太陽電池Ｐの出力電圧Ｖp は、昼夜判定部１４の比較器１４ａ、１４ｂの各一方の端子に分岐入力されている。また、比較器１４ａ、１４ｂの各他方の端子には、日没判定電圧Ｖp1、日照判定電圧Ｖp2＞Ｖp1が入力されており、比較器１４ａ、１４ｂの出力は、それぞれフリップフロップ１４ｃのリセット端子Ｒ、セット端子Ｓに接続されている。また、フリップフロップ１４ｃの出力端子Ｑは、インバータ１４ｄを介し、反転昼間信号Ｓa としてアンドゲート１５に導かれている。
【００２８】
劣化判定部１３は、フリップフロップ１３ａ、１３ｂ、アンドゲート１３ｃ、フリップフロップ１３ｄを備えて構成されている（図３）。
【００２９】
フリップフロップ１３ａ、１３ｂの各セット端子Ｓには、それぞれ過充電判定部１１からの過充電検出信号Ｓc1、過放電判定部１２からの過放電検出信号Ｓc2が入力されている。また、フリップフロップ１３ａ、１３ｂの各リセット端子Ｒには、毎日１回定時にリセットパルスを発生する共通のパルス発生器１３ｅの出力が分岐接続されており、フリップフロップ１３ａ、１３ｂの各出力端子Ｑは、共通のアンドゲート１３ｃを介してフリップフロップ１３ｄのセット端子Ｓに接続されている。フリップフロップ１３ｄのリセット端子Ｒには、手動のリセットスイッチＲＳが接続され、フリップフロップ１３ｄの出力端子Ｑは、判定信号Ｓ3 として外部に引き出されている。
【００３０】
かかる照明器具の動作を説明すると、たとえば次のとおりである。
【００３１】
図１において、太陽電池Ｐは、日中、太陽光によって発電すると、開閉器ＳＷ1 が閉じている限り、ダイオードＤを介してバッテリＢを充電することができる。また、バッテリＢは、常時表示器ＤＰに給電するとともに、開閉器ＳＷ2 が閉じている限り、照明用のランプ負荷Ｌに給電し、ランプ負荷Ｌを点灯させることができる。したがって、バッテリＢの端子電圧Ｖb は、時刻ｔの経過とともに、１日の間にたとえば図４のように変化する。端子電圧Ｖb は、日中の太陽電池ＰによるバッテリＢの充電中に滑らかに上昇し、夜間のランプ負荷Ｌの点灯中にバッテリＢが放電して滑らかに下降するからである。一方、図２の過充電判定部１１において、たとえば過充電検出電圧Ｖb1＝１５．０Ｖ、過充電復帰電圧Ｖb2＝１３．５Ｖに設定し、過放電判定部１２において、たとえば過放電検出電圧Ｖb3＝１１．０Ｖ、過放電復帰電圧Ｖb4＝１２．６Ｖに設定することができる。
【００３２】
そこで、過充電判定部１１の比較器１１ａ、過放電判定部１２の比較器１２ａは、それぞれＶb ≧Ｖb1、Ｖb ≦Ｖb3によりバッテリＢが過充電状態、過放電状態になったことを検出して過充電検出信号Ｓc1、過放電検出信号Ｓc2を出力するとともに、フリップフロップ１１ｃをセットし、フリップフロップ１２ｃをリセットすることができる。したがって、フリップフロップ１１ｃは、バッテリＢの過充電状態においてセットされ（図４の時刻ｔ＝ｔb1〜ｔb2）、制御信号Ｓ1 を外部に出力することができる。また、フリップフロップ１２ｃは、バッテリＢの過放電状態においてリセットされ（図４の時刻ｔ＝ｔb3〜ｔb4）、反転過放電信号Ｓb をアンドゲート１５に出力することができる。ただし、フリップフロップ１１ｃは、比較器１１ｂを介し、Ｖb ≦Ｖb2によりリセットされ（図４の時刻ｔ＝ｔb2）、フリップフロップ１２ｃは、比較器１２ｂを介し、Ｖb ≧Ｖb4 によりセットされる（図４の時刻ｔ＝ｔb4）。
【００３３】
太陽電池Ｐの出力電圧Ｖp は、時刻ｔの経過とともに、たとえば図５のように変化する。すなわち、出力電圧Ｖp は、夜明けとともに上昇し、日中はほぼ一定のピーク値を保ち、夕方になると徐々に低下し、日没とともに消滅する。そこで、図２の昼夜判定部１４において、たとえば日没判定電圧Ｖp1＝５．５Ｖ、日照判定電圧Ｖp2＝７．５Ｖに設定すると、昼夜判定部１４のフリップフロップ１４ｃは、明け方の時刻ｔ＝ｔp2において、比較器１４ｂを介してＶp ≧Ｖp2によりセットされ、夕方の時刻ｔ＝ｔp1において、比較器１４ａを介してＶp ≦Ｖp1によりリセットされる。したがって、フリップフロップ１４ｃの出力端子Ｑから、インバータ１４ｄを介してアンドゲート１５に入力される反転昼間信号Ｓa は、図４の時刻ｔ＝ｔp2〜ｔp1、ｔp1〜ｔp2において反転し、昼間、夜間の別を示すことができる。
【００３４】
一方、図１において、開閉器ＳＷ1 は、過充電判定部１１からの制御信号Ｓ1 により、バッテリＢが過充電状態でないときに閉じ、太陽電池ＰによるバッテリＢの充電を許容するとともに、バッテリＢが過充電状態になると、制御信号Ｓ1 により開放されて太陽電池ＰをバッテリＢから切り離し、バッテリＢの充電を阻止することができる。また、開閉器ＳＷ2 は、アンドゲート１５からの制御信号Ｓ2 により、昼間でないこと、または、バッテリＢが過放電状態でないことを条件として閉じ、バッテリＢによりランプ負荷Ｌを夜間に点灯させるとともに、バッテリＢが過放電状態になると、ランプ負荷ＬをバッテリＢから切り離すことができる。アンドゲート１５には、昼夜判定部１４からの反転昼間信号Ｓa 、過放電判定部１２からの反転過放電信号Ｓb が入力されているからである。
【００３５】
また、図３の劣化判定部１３のフリップフロップ１３ａ、１３ｂは、それぞれ過充電判定部１１からの過充電検出信号Ｓc1、過放電判定部１２からの過放電検出信号Ｓc2によってセットされ、毎日１回定時においてパルス発生器１３ｅからのリセットパルスによってリセットされる。そこで、フリップフロップ１３ａ、１３ｂの出力端子Ｑ、Ｑに接続するアンドゲート１３ｃは、バッテリＢが劣化して、１日の間にバッテリＢが過充電状態、過放電状態の双方に到達したことを検出してフリップフロップ１３ｄをセットし、判定信号Ｓ3 を出力させることができる。
【００３６】
劣化判定部１３からの判定信号Ｓ3 は、表示器ＤＰに入力されている（図１）。そこで、このときの表示器ＤＰは、たとえば図６（Ａ）のような警告メッセージを表示して巡回点検員に報知することができる。なお、表示器ＤＰは、劣化判定部１３からの判定信号Ｓ3 がないときは、たとえば図示しない別ルーチンにより、バッテリＢの端子電圧Ｖb に基づき、バッテリＢの現在の満充電容量に対する残容量の比率（％）を算出し、これをメッセージとして表示することができる（図６（Ｂ））。また、劣化判定部１３のフリップフロップ１３ｄは、たとえばバッテリＢを交換後にリセットスイッチＲＳを手動操作することによりリセットされ（図３）、表示器ＤＰ上の警告メッセージを消去することができる。
【他の実施の形態】
【００３７】
劣化判定部１３は、アンドゲート１３ｃとフリップフロップ１３ｄとの間に計数部１３ｆを介装することができる（図７）。
【００３８】
計数部１３ｆは、たとえば７ビットのシフトレジスタ１３ｆ1 とカウンタ１３ｆ2 とを縦続して構成されている。シフトレジスタ１３ｆ1 のクロック端子には、パルス発生器１３ｅからのリセットパルスが導入され、カウンタ１３ｆ2 のクロック端子には、遅延要素１３ｆ3 を介してパルス発生器１３ｅからのリセットパルスが分岐入力されている。シフトレジスタ１３ｆ1 は、フリップフロップ１３ａ、１３ｂ、アンドゲート１３ｃを介して検出される情報、すなわち、バッテリＢが劣化して、１日の間にバッテリＢが過充電状態、過放電状態の双方に到達した日を各ビットに対応させて７日間に亘って記憶し、カウンタ１３ｆ2 は、シフトレジスタ１３ｆ1 に記憶された情報をシリーズパルスに変換して計数し、たとえば３日の制限値に達したことを検出すると、後段のフリップフロップ１３ｄをセットして判定信号Ｓ3 を出力させることができる。
【００３９】
この場合の判定信号Ｓ3 は、フリップフロップ１３ａ、１３ｂ、アンドゲート１３ｃを介して検出されるバッテリＢの単発の劣化情報に代えて、たとえば連続７日間の間に少なくとも３日に亘ってバッテリＢが１日の間に過充電状態、過放電状態の双方に到達したことを示すから、バッテリＢの劣化情報の確度を向上させることができる。なお、シフトレジスタ１３ｆ1 のビット数、カウンタ１３ｆ2 に設定する制限値は、それぞれ適宜に変更することができる。
【００４０】
照明器具は、複数基をグループ化し、そのうちの１基を親機Ｍo とし、残りを子機Ｍ1 、Ｍ1 …とすることができる（図８）。親機Ｍo 、子機Ｍ1 、Ｍ1 …は、それぞれ劣化判定部１３の出力側において、劣化判定部１３からの判定信号Ｓ3 を分岐入力するアンテナＡＮ付きの無線部ＷＬを表示器ＤＰに併設し、各子機Ｍ1 の無線部ＷＬは、送信モードに設定し、親機Ｍo の無線部ＷＬは、受信モードに設定するとともに、その出力が表示器ＤＰに接続されている。なお、各無線部ＷＬは、周知のＷｉ−Ｆｉ、ＺｉｇＢｅｅ、Ｂｌｕｅｔｏｏｔｈ（登録商標）などを含む任意の無線通信システムであって、各子機Ｍ1 の送信モードの無線部ＷＬから親機Ｍo の受信モードの無線部ＷＬに対して情報を無線通信することができる。
【００４１】
各子機Ｍ1 において、バッテリＢが劣化して判定信号Ｓ3 が発生すると、その旨が子機Ｍ1 の表示器ＤＰに表示されるとともに、無線部ＷＬから無線送信される。そこで、親機Ｍo では、子機Ｍ1 からの情報を無線部ＷＬにより受信し、特定の子機Ｍ1 のバッテリＢが劣化した旨の警告メッセージを親機Ｍo の表示器ＤＰ上に表示することができる。子機Ｍ1 、Ｍ1 …を１基ずつ巡回点検することなく、親機Ｍo の表示器ＤＰ上にてバッテリＢを集中管理することができる。なお、親機Ｍo の表示器ＤＰ上には、親機Ｍo のバッテリＢが劣化した旨の警告メッセージも併せて表示可能である。
【００４２】
以上の説明において、制御部１０を構成する各部の論理回路は、図示のようにハードウエアによって構成する他、マイクロコンピュータ上のソフトウエアによって構成してもよく、たとえばプログラマブルコントローラのような制御機器によって構成してもよい。
【産業上の利用可能性】
【００４３】
この発明は、ＬＥＤランプの他、蛍光灯ランプ、白熱ランプなどの任意のランプ光源を使用する太陽電池付きの独立電源形の街路灯、庭園灯、防犯灯などの用途に広く好適に適用することができる。
【符号の説明】
【００４４】
Ｐ…太陽電池
Ｌ…ランプ負荷
Ｂ…バッテリ
Ｖp …出力電圧 
Ｖb …端子電圧
１１…過充電判定部
１２…過放電判定部
１３…劣化判定部
１４…昼夜判定部
特許出願人      かがつう株式会社
【図１】
2015070664.tif 000003
【図２】
2015070664.tif 000004
【図３】
2015070664.tif 000005
【図４】
2015070664.tif 000006
【図５】
2015070664.tif 000007
【図６】
2015070664.tif 000008
【図７】
2015070664.tif 000009
【図８】
2015070664.tif 000010